(57)【要約】【課題】施工性が良く、高い強度が得ることが可能な中空パネル用の補強材およびそれを用いた壁体を提供することを目的とする。【解決手段】本発明の補強材２０は、側部に連設部１２ｂ、１３ａを有し、連設部を用いて複数連設することにより壁体を構築する中空パネル１０ａ、１０ｂを補強する補強材２０であって、中空パネル１０の側部と同じ長さに形成され、正面３１、背面３２および一対の側部３３、３４を有する本体３０と、本体３０の一対の側部３３、３４のうち少なくとも何れか一方の側部において、中空パネル１０ａの側方より中空パネル１０ａの連設部１３ａに嵌合する第一嵌合部４０とを備え、本体３０は中空パネル１０よりも強度の高い材質により形成されることを特徴とする。【選択図】図１
2011026926.tif 000002
【特許請求の範囲】
【請求項１】
側部に連設部を有し、該連設部を用いて複数連設することにより壁体を構築する中空パネルを補強する補強材であって、
前記中空パネルの側部と同じ長さに形成され、正面、背面および一対の側部を有する本体と、
前記本体の一対の側部のうち少なくとも何れか一方の側部において、前記中空パネルの側方より前記中空パネルの連設部に嵌合する第一嵌合部と、を備え、
前記本体は前記中空パネルよりも強度の高い材質により形成される、ことを特徴とする補強材。
【請求項２】
前記本体の他方の側部において、前記第一嵌合部の反対方向に向けて設けられ、前記中空パネルとは別の中空パネルの連設部に、前記別の中空パネルの側方より嵌合する第二嵌合部をさらに備える請求項１に記載の補強材。
【請求項３】
前記中空パネルの連設部は、先端が膨らんだ中空の連設凸部または該連設凸部の形状に対応した連設凹部のうち何れか一方であり、
前記第一嵌合部は、前記連設凸部または前記連設凹部と同じ形状を有する、請求項１に記載の補強材。
【請求項４】
前記中空パネルの連設部は、先端が膨らんだ中空の連設凸部または該連設凸部の形状に対応した連設凹部のうち何れか一方であり、
前記第一嵌合部は、前記連設凸部または前記連設凹部と同じ形状を有し、
前記第二嵌合部は、前記連設凸部または前記連設凹部と同じ形状を有する、請求項２に記載の補強材。
【請求項５】
前記本体の正面と背面との間の距離が、前記中空パネルの厚さ以上である、請求項１から４の何れか一項に記載の補強材。
【請求項６】
前記本体の正面は、前記中空パネルの前記連設部に前記第一嵌合部が嵌合することで、前記中空パネルの正面と面一になる、請求項１から５の何れか一項に記載の補強材。
【請求項７】
前記本体は中空である、請求項１から６の何れか一項に記載の補強材。
【請求項８】
前記本体の中空に挿入して取付けられる、前記補強材の強度を補助する補助部材を、さらに備えた請求項７に記載の補強材。
【請求項９】
前記中空パネルは、該中空パネルの側部および背面が交わる角部から幅方向外側に向かって延出するパネル側延出部と、該パネル側延出部および前記連設部の間に形成されるパネル側溝部とをさらに備えており、
前記本体は、前記第一嵌合部を有する前記側部および前記背面が交わる角部から幅方向外側に向かって延出する第一延出部と、該第一延出部および前記第一嵌合部の間に形成される第一溝部とをさらに備え、
前記第一嵌合部が前記中空パネルの前記連設部に嵌合することで、前記パネル側延出部と第一延出部とが対向すると共に離間して配置され、前記パネル側延出部、前記パネル側溝部、前記第一延出部および前記第一溝部により蟻溝部が形成される、請求項１から８の何れか一項に記載の補強材。
【請求項１０】
前記本体の背面に前記本体の長手方向に沿って形成される蟻溝部をさらに備える請求項１から９の何れか一項に記載の補強材。
【請求項１１】
側部に連設部を有する中空パネルと請求項１から１０の何れか一項に記載の補強材とを、前記中空パネルの連設部に前記補強材の前記第一嵌合部を嵌合して連結することにより構築する壁体。
【請求項１２】
側部に連設部を有する一対の中空パネルと請求項２または４に記載の補強材とを、一方の中空パネルの連設部に前記補強材の前記第一嵌合部を嵌合し、他方の中空パネルの連設部に前記補強材の前記第二嵌合部を嵌合して連結することにより構築する壁体。
【発明の詳細な説明】
【技術分野】
【０００１】
本発明は、合成樹脂製の中空パネルを補強する補強材およびそれを用いた壁体に関する。
【背景技術】
【０００２】
近年、採光を取るための採光外壁材として、合成樹脂製の中空パネルが用いられるようになってきた。合成樹脂製の中空パネルは、ガラスブロック等の採光外壁材と比較すると軽量であるので広い採光壁を実現することができる。
【０００３】
図６に、採光外壁材として用いられる合成樹脂製の中空パネルの一例を示す。中空パネル１０は、複数の中空パネルを連設することにより壁体を構築する部材であり、淡く着色した透光性樹脂を押し出成形して作製する。中空パネル１０は、図６に示すように、板状のパネル本体１１と、パネル本体１１の両側部に、隣接する中空パネル１０と連設するための連設凸部１２と連設凹部１３とを備えている。中空パネル１０のパネル本体１１は正面１４と背面１５とを有し、正面１４と背面１５との間に縦、横、斜めの隔壁１６を設けることによって多数のパネル中空部１７が形成されている。
【０００４】
連設凸部１２は、先端が少し膨張した中空の形状を有しており、中空パネル１０の片側の側部において中空パネル１０の全長に亘って形成されている。また、連設凹部１３は、連設凸部１２のある側部の反対側の側部に設けられており、連設凸部１２に対応した形状に形成されている。連設凹部１３は、隣接する中空パネルの連設凸部１２が側方（図６のＡ方向）から圧入されることにより、隣接する中空パネルの連設凸部１２と嵌合することが可能になっている。中空パネル１０は、連設凸部１２と連設凹部１３とを備えることによって、中空パネル同士を簡単に連設でき、それにより様々な寸法の壁体を構築することが可能になっている。
【０００５】
しかしながら、合成樹脂製の中空パネル１０のみを連設して壁体を構築すると強度が不足する場合があった。そのため、従来は例えば特許文献１に示されるように、補強材をパネル中空部１７に、中空パネル１０の上方または下方から挿入して中空パネル１０やそれにより構築された壁体の強度を向上させていた。
【先行技術文献】
【特許文献】
【０００６】
【特許文献１】特開２００８−５７１１６号公報
【発明の概要】
【発明が解決しようとする課題】
【０００７】
しかしながら、特許文献１に示される補強材やその補強方法は、中空パネルの上方または下方の開口部から中空パネルの長さと同じ長さの補強材を挿入する必要があり、特に長尺な中空パネルの場合、補強材の挿入に手間がかかり施工性が良くないという課題があった。
【０００８】
また、中空パネルに挿入する補強材を増やすことで、高い強度を得ることが可能であるが、多数の補強材を挿入すると不透光の部分が多くなり、特に、採光外壁材として中空パネルを用いる場合、中空パネルの透光性が低下するという課題があった。
【０００９】
また、補強材の大きさや形状は、パネル中空部の大きさや形状によって制限されるので、補強材が必要な強度を得ることができないという課題があった。特に大型の採光外壁を構築する場合、長尺の補強材を必要とするが、その長さに応じた幅や厚さにすることができず、強度を向上させることができない場合があった。
【００１０】
そこで、本発明では、施工性が良く高い強度を得ることが可能な中空パネル用の補強材およびそれを用いた壁体を提供することを目的とする。
【課題を解決するための手段】
【００１１】
上述の目的を達成するために、本発明に係る補強材は、側部に連設部を有し、該連設部を用いて複数連設することにより壁を構築する中空パネルを補強する補強材であって、前記中空パネルの側部と同じ長さに形成され、正面、背面および一対の側部を有する本体と、前記本体の一対の側部のうち少なくとも何れか一方の側部において、前記中空パネルの側方より前記中空パネルの連設部に嵌合する第一嵌合部とを備え、前記本体は前記中空パネルよりも強度の高い材質により形成されることを特徴とする。
【００１２】
また、上述の目的を達成するために、本発明に係る補強材は、前記本体の他方の側部において、前記第一嵌合部の反対方向に向けて設けられ、前記中空パネルとは別の中空パネルの連設部に、前記別の中空パネルの側方より嵌合する第二嵌合部をさらに備えることを特徴とする。
【００１３】
また、上述の目的を達成するために、本発明に係る補強材は、前記中空パネルの連設部が、先端が膨らんだ中空の連設凸部または該連設凸部の形状に対応した連設凹部のうち何れか一方であり、前記第一嵌合部は、前記連設凸部または前記連設凹部と同じ形状を有することを特徴とする。
【００１４】
また、上述の目的を達成するために、本発明に係る補強材は、前記中空パネルの連設部が、先端が膨らんだ中空の連設凸部または該連設凸部の形状に対応した連設凹部のうち何れか一方であり、前記第一嵌合部は、前記連設凸部または前記連設凹部と同じ形状を有し、前記第二嵌合部は、前記連設凸部または前記連設凹部と同じ形状を有することを特徴とする。
【００１５】
また、上述の目的を達成するために、本発明に係る補強材は、前記本体の正面と背面との間の距離が、前記中空パネルの厚さ以上であることを特徴とする。
【００１６】
また、本発明に係る補強材は、前記本体の正面が、前記中空パネルの前記連設部に前記第一嵌合部が嵌合することで、前記中空パネルの正面と面一になることを特徴とする。
【００１７】
また、本発明に係る補強材は、前記本体が中空であることを特徴とする。
【００１８】
また、本発明に係る補強材は、前記本体の中空に挿入して取付けられる、前記補強材の強度を補助する補助部材を、さらに備えたことを特徴とする。
【００１９】
また、本発明に係る補強材は、前記中空パネルが、該中空パネルの側部および背面が交わる角部から幅方向外側に向かって延出するパネル側延出部と、該パネル側延出部および前記連設部の間に形成されるパネル側溝部とをさらに備えており、前記本体は、前記第一嵌合部を有する前記側部および前記背面が交わる角部から幅方向外側に向かって延出する第一延出部と、該第一延出部および前記第一嵌合部の間に形成される第一溝部とをさらに備え、前記第一嵌合部が前記中空パネルの前記連設部に嵌合することで、前記パネル側延出部と第一延出部とが対向すると共に離間して配置され、前記パネル側延出部、前記パネル側溝部、前記第一延出部および前記第一溝部により蟻溝部が形成されることを特徴とする。
【００２０】
また、本発明に係る補強材は、前記本体の背面に前記本体の長手方向に沿って形成される蟻溝をさらに備えることを特徴とする。
【００２１】
また、本発明に係る壁体は、側部に連設部を有する中空パネルと前記補強材とを、前記中空パネルの連設部に前記補強材の前記第一嵌合部を嵌合して、連結することにより構築することを特徴とする。
【００２２】
また、本発明に係る壁体は、側部に連設部を有する一対の中空パネルと前記補強材とを、一方の中空パネルの連設部に前記補強材の前記第一嵌合部を嵌合し、他方の中空パネルの連設部に前記補強材の前記第二嵌合部を嵌合して連結することにより構築することを特徴とする。
【発明の効果】
【００２３】
上述した本発明に係る補強材は、中空パネルの側方から嵌合することが可能であるので、従来ように中空パネルの上下から挿入する補強材と比較して、容易に取付け作業を行うことができ、壁体を構築する際の施工性を良くする。
【００２４】
また、補強材は、中空パネルの外部に設けるので、従来のように補強材の大きさ、特に厚さや幅が中空パネルの中空部の大きさに制限されることがない。補強材を大きくすることができるので、容易に強度を向上させることができる。
【図面の簡単な説明】
【００２５】
【図１】本発明に係る補強材の第一実施形態を示す斜視図である。
【図２】図１に示す補強材と中空パネルとが連結した状態を示す横断面図である。
【図３】図１に示す補強材と中空パネルとを用いて構築した壁体を示す正面図である。
【図４】第一実施形態の変形例１を示す横断面図である。
【図５】第一実施形態の変形例２を示す横断面図である。
【図６】中空パネルの構成を示す斜視図である。
【発明を実施するための形態】
【００２６】
以下、本発明に係る補強材および壁体の好ましい実施形態について、図面を参照して説明する。但し、本発明の技術範囲はそれらの実施形態に限定されず、特許請求の範囲に記載された発明とその均等物におよぶ点に留意されたい。
【００２７】
図１は、本発明に係る補強材２０の第一実施形態を示す斜視図である。また、図２は、図１に示す補強材２０と中空パネル１０とが連結した状態を示す横断面図である。
【００２８】
本実施形態の補強材２０は、前述した合成樹脂製の中空パネル１０を補強する補強材であって、一対の中空パネル１０に連結することができる。以下、一対の中空パネル１０を区別するため、図面左より中空パネル１０ａ、１０ｂとし、各中空パネルの構成部材にはそれぞれに対応するアルファベットを付けて説明する。
【００２９】
補強材２０の構成について説明する。補強材２０は、図１に示すように、中空パネル１０ａ、１０ｂの長さＬと同じ長さに形成された長尺の本体３０と、中空パネル１０ａの連設凹部１３ａに嵌合する第一嵌合部４０と、中空パネル１０ｂの連設凸部１２ｂに嵌合する第二嵌合部５０とを備えている。本体３０は、正面３１、背面３２および一対の側部３３、３４からなり、第一嵌合部４０は、本体３０の一方の側部３３に位置している。また第二嵌合部５０は、本体３０の他方の側部３４に位置している。
【００３０】
また、補強材２０は、背面３２と側部３３とが交わる角部から、幅方向外側に延出する第一延出部４１を備えており、第一延出部４１と第一嵌合部４０との間に第一溝部４２が形成されている。詳しくは後述するが、第一延出部４１および第一溝部４２は、中空パネル１０ａと補強材２０とが連結した場合に、中空パネル１０ａの側部と合わさることにより建物の構造部に連結するための蟻溝を形成するようになっている。
【００３１】
また、補強材２０は、背面３２と側部３４とが交わる角部から、幅方向外側であって且つ第一延出部４１の反対方向に延出する第二延出部５１を備えており、第二延出部５１と第二嵌合部５０との間に第二溝部５２が形成されている。第二延出部５１および第二溝部５２は、第一延出部４１および第一溝部４２と同様に、中空パネル１０ｂの側部と合わさることにより蟻溝を形成するようになっている。
【００３２】
なお、厚さ方向とは補強材２０の長手方向と垂直に交わる方向であって、正面３１から背面３２に向かう方向（図１の矢印Ｅ参照）を意味する。また、幅方向とは、補強材２０の長手方向と直交する方向であって、補強材２０の正面３１に対して平行な方向（図１の矢印Ｆ参照）を意味する。
【００３３】
次に、第一嵌合部４０について説明する。第一嵌合部４０は、図１に示すように、先端部が膨らんだ凸型の形状を有しており、中空に形成されている。この第一嵌合部４０の形状は、中空パネル１０ｂの連設凸部１２ｂと同じ形状である。第一嵌合部４０は中空に形成されているので、第一嵌合部４０は弾性変形することが可能である。そのため、第一嵌合部４０を中空パネル１０ａの連設凹部１３ａに、中空パネル１０ａの側方（図１のＡ方向）から圧入して嵌合することができる。なお、第一嵌合部４０が、弾性変形しない場合であっても、中空パネル１０ａの連設凹部１３ａが弾性変形することが可能であれば、第一嵌合部４０を中空パネル１０ａの連設凹部１３ａに、中空パネル１０ａの側方から圧入して嵌合することもできる。
【００３４】
次に、第二嵌合部５０について説明する。第二嵌合部５０は、図１に示すように、第一嵌合部４０の凸型の形状に対応した凹型の形状を有しており、中空パネル１０ｂの連設凸部１２ｂを内包することが可能になっている。この第二嵌合部５０の形状は、中空パネル１０ａの連設凹部１３ａと同じ形状であり、中空パネル１０ｂの連設凸部１２ｂを側方から圧入して嵌合することができる。なお、第二嵌合部５０の根本部分の幅Ｈ１は、第二嵌合部５０の中央部の幅Ｈ２より狭くなっており、連設凸部１２ｂは、一旦嵌合すると先端部の膨らみにより第二嵌合部５０から抜け難くなっている。
【００３５】
次に、本実施形態の補強材２０の本体３０について説明する。
【００３６】
図２は、補強材２０と中空パネル１０ａ、１０ｂとが連結した状態を示す横断面図である。
【００３７】
本実施形態の補強材２０の本体３０には、図２に示すように、中空部３６が形成されている。本体３０を中空にすることで、補強材２０を軽量かつ安価に作製することができる。また、中空部３６は、正面３１、背面３２、側部３３、第二嵌合部５０および隔壁３５により囲まれた空間であり、中空部３６に補助部材３７を挿入して取付けることによって、補強材２０の強度を必要に応じて調整することができる。図２には、補助部材３７の一例として断面形状がＬ字形の部材を取付けた場合を示している。他に、補助部材３７として板状の部材または断面形状がＵ字形の部材を挿入して取付けることができる。また、本体３０の中空部３６の形状によってはロ字形の部材を挿入してもよい（図４参照）。補強材２０の強度を高めるため、本体３０は中実であってもよい。
【００３８】
補助部材３７は、第二嵌合部５０の先端部と隔壁３５とを嵌挿するネジ３８によってネジ止めされている。ネジ３８は、第二嵌合部５０の内部から螺嵌されるので、第二嵌合部５０によってネジ頭は隠され、特に補強材２０と中空パネル１０ｂとが連結した後は、外部からネジ頭が見えることがない。そのため、壁体の外観を変更することなく、補助部材３７により補強材２０の強度を向上させることができる。なお、補助部材３７の材質は、特に限定しないが、剛性と加工容易性との観点から金属製、特にアルミニウムが好適である。また、補助部材３７は樹脂製でもよい。補助部材３７は本体３０の中空部３６以外にも、例えば補強材２０の背面３２の外側に設けることができる。この場合、正面側から見た壁体の意匠性が下がることはなく、中空部３６に補助部材３７を挿入する手間を省くことができるので、特に本体３０が長尺の場合に有効である。
【００３９】
本実施形態の補強材２０は中空パネル１０ａ、１０ｂと連結すると、図２に示すように、補強材２０の正面３１と、中空パネル１０ａ、１０ｂの正面１４ａ、１４ｂとが段差のない面を形成する。すなわち、補強材２０の正面３１は、中空パネル１０ａ、１０ｂの正面１４ａ、１４ｂと面一になるよう形成されている。一対の中空パネル１０ａ、１０ｂの間に補強材２０を挿入して連結しても段差のない面が構築されるので、補強材２０によって壁体の意匠性が下がることがない。
【００４０】
本実施の補強材２０の厚さ、すなわち本体３０の正面３１と背面３２との間の距離Ｈ３は、中空パネル１０ａ、１０ｂの厚さと同じ厚さである。しかしながら、補強材２０の強度を向上させるため、補強材２０の厚さを中空パネル１０ａ、１０ｂの厚さよりもさらに大きくしてもよい。この場合、補強材２０の正面３１と中空パネル１０ａ、１０ｂの正面１４ａ、１４ｂとを面一にしつつ、補強材２０の背面３２が、厚さ方向（図２のＣ方向）に延びて、中空パネル１０ａ、１０ｂの背面１５ａ、１５ｂより突出るようにしてもよい。また、補強材２０を幅方向に大きくしてもよい。
【００４１】
次に、補強材２０の第一延出部４１および第一溝部４２について説明する。
【００４２】
本実施形態の補強材２０が連結する中空パネル１０ａ、１０ｂは、図２に示すように、中空パネルの側部および背面１５ａ、１５ｂの交わる角部から幅方向外側に延出するパネル側延出部１８ａ、１８ｂと、パネル側延出部１８ａ、１８ｂと連設凸部１２ｂまたは連設凹部１３ａとの間に形成されるパネル側溝部１９ａ、１９ｂとを備えている。本来、一対の中空パネル１０ａ、１０ｂが連設することで、パネル側延出部１８ａ、１８ｂとパネル側溝部１９ａ、１９ｂとにより、断面Ｔ字形の蟻溝部が形成されるようになっていた。図２に示す結合部材７０は、壁体と建物の構造部とを結合する部材の一例であるが、結合部材７０の先端部にある断面Ｔ字形の取付け金具７２を蟻溝部に挿入することにより、結合部材７０と壁体が結合し、壁体を建物の構造部に取付けることができた。
【００４３】
本実施形態の補強材２０を用いて壁体を構成した場合でも壁体を建物の構造部に取付けることができるよう、補強材２０は、補強材２０と中空パネル１０ａ、１０ｂとが結合されることによって蟻溝部６０ａ、６０ｂが形成されるようになっている。本実施形態の補強材２０は、上述のように、背面３２と側部３３とが交わる角部から、幅方向外側に延出する第一延出部４１を備えており、第一延出部４１と第一嵌合部４０との間に第一溝部４２が形成されている。すなわち、補強材２０は、パネル側延出部１８ａに対向する第一延出部４１と、パネル側溝部１９ａに対応する第一溝部４２とを、側部３３の長手方向の全体に亘って備えている。中空パネル１０ａと補強材２０とが結合することによって、パネル側延出部１８ａと第一延出部４１とが対向すると共に離間して配置されるようになり、パネル側溝部１９ａ、パネル側延出部１８ａ、第一延出部４１および第一溝部４２により蟻溝部６０ａが形成される。
【００４４】
また、補強材２０は、背面３２と側部３４とが交わる角部から、幅方向外側であって且つ第一延出部４１の反対方向に延出する第二延出部５１を備えており、第二延出部５１と第二嵌合部５０との間に第二溝部５２が形成されている。すなわち、補強材２０は、パネル側延出部１８ｂに対向する第二延出部５１と、第二溝部５２とを側部３４の長手方向の全体に亘って備えている。中空パネル１０ｂと補強材２０とが結合することによって、パネル側延出部１８ｂと第二延出部５１とが対向すると共に離間して配置されるようになり、パネル側溝部１９ｂ、パネル側延出部１８ｂ、第二延出部５１および第二溝部５２により蟻溝部６０ｂが形成される。
【００４５】
上述のように、補強材２０が中空パネル１０ａ、１０ｂに連結することによって、二箇所のＴ字形の蟻溝部６０ａ、６０ｂが形成される。従来と同様、蟻溝部６０ａ、６０ｂのうち何れか一方に、Ｔ字形の取付け金具７２を挿入することにより、壁体と建物の構造部とが結合してもよい。蟻溝部６０ａ、６０ｂの両方に取付け金具７２を挿入して壁体を構造部に結合してもよい。
【００４６】
補強材２０や本体３０の材質は、特に限定しないが、中空パネル１０の材質より強度の高い材質で作製するのがよい。剛性と加工容易性との観点から、補強材２０は金属製、特にアルミニウム製であることが望ましい。本実施形態では補強材２０をアルミニウム材の押出し成形により形成している。
【００４７】
なお、本実施形態の補強材２０と連結する中空パネル１０は合成樹脂製であるが、具体的な合成樹脂として、ポリカーボネート樹脂、アクリル樹脂、ポリエステル樹脂、ポリ塩化ビニル樹脂、およびこれらの樹脂にガラス繊維を含有させた強化樹脂等の光透過性の合成樹脂が挙げられる。また、中空パネル１０は、合成樹脂以外の材料、セメント、炭酸カルシウム、珪酸カルシウム、セラミックス等の無機材料およびこれらの無機材料に鉄筋、ガラス繊維またはアラミド繊維を含有させた材質から形成しても良い。
【００４８】
次に、複数の中空パネル１０と補強材２０とを用いて構築した壁体１００について説明する。
【００４９】
図３は、複数の中空パネル１０と補強材２０とを用いて構築した壁体１００を示す正面図である。
【００５０】
本実施形態の補強材２０は、上述のように第一嵌合部４０を中空パネル１０ａの連設凹部１３ａに圧入して嵌合することにより、中空パネル１０ａと結合し、中空パネル１０ａの側部の長手方向の全体に亘って配置される。続いて、補強材２０の第二嵌合部５０に中空パネル１０ｂの連設凸部１２ｂを圧入して嵌合することにより、補強材２０と中空パネル１０ｂとが結合する。このように、複数の中空パネル１０と補強材２０とを交互に連設していくことにより壁体１００を構築する。中空パネル１０が補強材２０によって補強されることによって、壁体１００の強度も向上する。壁体１００は、図３に示すように、壁体１００の上下左右に枠材８１〜８４が設けられることによって完成する。補強材２０の上下端部は枠材８１、８３と直接接触するので、補強材２０は枠材８１、８３により挟持されるようになる。補強材２０を枠材８１、８３の外側からビス等を用いて固定することにより、補強材２０と枠材８１、８３とが一体化し、それによって、中空パネル１０および壁体１００はさらに高い強度を得ることができる。本実施形態では、中空パネル１０と補強材２０とを交互に連設して壁体１００を構築しているが、必ずしも交互に連設する必要はなく、壁体１００に要求される強度に合わせて、中空パネル１０の間に補強材２０を適宜設ければよい。例えば、補強材２０を一つ置きに設けてもよい。
【００５１】
次に、上述した第一実施形態の変形例１、２について、図を参照しながら以下に説明する。変形例について特に説明しない点については、上述の第一実施形態に関して詳述した説明が適宜適用される。また、同一の構成要素には同一の符号を付してある。
【００５２】
図４は、第一実施形態の変形例１の補強材２１を示す横断面図である。
【００５３】
第一実施形態の変形例１である補強材２１は、補強材２０と同様に本体３１と第一嵌合部４０と第二嵌合部５０とから構成されている。しかしながら、補強材２１の第二嵌合部５０は、連結する中空パネル１０ｃの連設凹部１３ｃの形状に合わせて、凸型の形状すなわち連設凸部と同じ形状を有していることが異なっている。このように、本発明による補強材の第一嵌合部４０および第二嵌合部５０は、両方とも連設凸部と同じ凸型の形状を有してもよい。補強材２１は、第二嵌合部５０が結合する中空パネル１０の連設凹部１３ｃの形状に合わせたものであり、それ以外は上述した補強材２０と同様の効果を奏する。
【００５４】
図５は、第一実施形態の変形例２の補強材２２を示す横断面図である。
【００５５】
第一実施形態の変形例２である補強材２２は、補強材２０と同様に本体３０と第一嵌合部４０と第二嵌合部５０とから構成されている。しかしながら、補強材２２の第一嵌合部４０は、連結する中空パネル１０ｄの連設凸部１２ｄに合わせて、中空パネル１０の連設凹部と同じ凹型の形状を有していることが異なっている。このように、本発明による補強材の第一嵌合部４０および第二嵌合部５０は、両方とも連設凹部と同じ凹型の形状を有してもよい。また、背面３２の中央に蟻溝部６０ａ、６０ｂと同様の断面形状を有する蟻溝部６１が長手方向に沿って形成されている。
【００５６】
変形例２は、第一嵌合部４０および第二嵌合部５０ともに凹型の形状を有しているので、補強材２２の本体３０の幅は、補強材２０のそれと比較して広くなっている。そのため幅方向（例えば図５のＤ方向）に掛かる応力に対しては補強材２０より強度が向上している。また、中空部３６が３箇所あるので、補強材２２を補強する補助部材３７をより多く取付けることができ、さらに強度を向上させることができる。また、蟻溝部６１を中央に備えることによって、補強材２２だけでも建物の構造部と結合部材を介して結合することが可能になっている。
【００５７】
以上、本実施形態について図面を用いて説明した。本実施形態の補強材を用いれば、中空パネルの側方から補強材を取付けることが可能である。そのため、従来のように上方または下方から補強材を挿入する補強方法と比較して、容易に中空パネルおよび壁体を補強することが可能になり、壁体を構築する施工性が良くなるという効果を奏する。また、補強材を中空パネルの外部に取付けるので、従来のように中空パネルの中空部に補強材の大きさが制限されることなく、強度の高い補強材を設けることができるようになる。
【００５８】
なお、本実施形態の補強材は、互いに反対側を向く二つの嵌合部（第一嵌合部、第二嵌合部）を備えていたが、壁体の端に位置する中空パネルを補強するのであれば、補強材の嵌合部は一つ（すなわち、第一嵌合部のみ）であってもよい。
【符号の説明】
【００５９】
１０、１０ａ、１０ｂ、１０ｃ、１０ｄ    中空パネル
１１    パネル本体
１２、１２ｂ、１２ｄ    連設凸部
１３、１３ａ、１３ｃ    連設凹部
１４    正面
１５    背面
１６    隔壁
１７    パネル中空部
１８ａ、１８ｂ、１８ｃ、１８ｄ    パネル側延出部
１９ａ、１９ｂ、１９ｃ、１９ｄ    パネル側溝部
２０、２１、２２    補強材
３０    本体
３１    正面
３２    背面
３３、３４    側部
３５    隔壁
３６    中空部
３７    補助部材
３８    ネジ
４０    第一嵌合部
４１    第一延出部
４２    第一溝部
５０    第二嵌合部
５１    第二延出部
５２    第二溝部
６０ａ、６０ｂ、６１    蟻溝部
８１、８２、８３、８４    枠材
１００    壁体
【図１】
2011026926.tif 000003
【図２】
2011026926.tif 000004
【図３】
2011026926.tif 000005
【図４】
2011026926.tif 000006
【図５】
2011026926.tif 000007
【図６】
2011026926.tif 000008